(57)【要約】【課題】転倒時の衝撃を和らげ、重要部品の受けるダメージを軽減して故障を防止するレーザー墨出し器の緩衝構造およびこれを備えたレーザー墨出し器を得る。【解決手段】ベースに支持されている吊り下げ手段と、吊り下げ手段によって揺動自在に吊り下げられているレーザーユニットホルダーと、レーザーユニットホルダーに取り付けられレーザーライン光を投射する光源ユニットと、レーザー墨出し器本体１へ着脱可能な緩衝部材１１を具備する。緩衝部材１１は、弾性力を有する素材からなり、レーザー墨出し器本体１に装着するための内径部１３と、内径部１３から半径方向外側に突出した複数の突出部１２を有し、突出部１２と内径部１３との間に空間１４が存在している。【選択図】図３
2009008480.tif 000002
【特許請求の範囲】
【請求項１】
ベースと、ベースに支持されている吊り下げ手段と、吊り下げ手段によって自在に吊り下げられているレーザーユニットホルダーと、レーザーユニットホルダーに取り付けられていてレーザーライン光を投射する光源ユニットと、レーザー墨出し器本体へ着脱可能な緩衝部材を具備するレーザー墨出し器の緩衝構造であって、
上記緩衝部材は、弾力性を有する素材からなり、レーザー墨出し器本体に装着するための内径部と、この内径部から半径方向外側に突出した複数の突出部を有し、上記突出部と上記内径部との間に空間が存在しているレーザー墨出し器の緩衝構造。
【請求項２】
緩衝部材は環状の線材からなり、半径方向に波打った形に形成されている請求項１記載のレーザー墨出し器の緩衝構造。
【請求項３】
緩衝部材は内径部が環状に形成され、内径部の外周面に緩衝するための突出部が複数形成されている請求項１記載のレーザー墨出し器の緩衝構造。
【請求項４】
緩衝部材は、レーザー墨出し器本体から投射される光を遮断しない位置に装着されている請求項１、２または３記載のレーザー墨出し器の緩衝構造。
【請求項５】
緩衝部材を備えたレーザー墨出し器であって、上記緩衝部材は請求項１ないし４のいずれかに記載の緩衝部材であるレーザー墨出し器。
【発明の詳細な説明】
【技術分野】
【０００１】
本発明は、建築現場などにおいて、墨出し用のレーザー光を、壁、天井、床などの投射対象面に投光するレーザー墨出し器、およびレーザー墨出し器において転倒した際の衝撃を緩和することができる緩衝構造に関するものである。
【背景技術】
【０００２】
レーザー墨出し器はレーザー光源として一般に半導体レーザーが用いられている。半導体レーザーから出射されるレーザー光は拡散光であるため、これをコリメートレンズによってほぼ平行光束とし、これを円柱状のロッドレンズに透過させることにより一方向にのみ拡散させ、これを壁、天井、床などの投射対象面に投光して、レーザー光による鉛直線あるいは水平線（これを「輝線」ともいう）を引くようにしたのがレーザー墨出し器である。
【０００３】
レーザー墨出し器は微小な傾斜がある場所で使用する場合であっても、水平方向または鉛直方向のレーザー光を正確に投射する必要がある。そのため、一般的に知られているレーザー墨出し器の構造としては、本体にジンバル機構を有し、支持体にジンバル機構を介して吊り下げられたレーザーユニットホルダーを有している。レーザーユニットホルダーには、上記半導体レーザー、コリメートレンズ、ロッドレンズを有してなるレーザーユニットが取り付けられている。レーザーユニットホルダーは振り子のように前後左右に揺動可能であり、自身の重さで常時鉛直方向に向いた姿勢を保ち、上記レーザーユニットから水平方向または鉛直方向にレーザー光を投射できるように構成されている。
【０００４】
レーザー墨出し器を傾斜した姿勢で使用する場合、レーザーユニットホルダーが揺動する際にかかる運動エネルギーは微小であることから、支持体と支持体に吊り下げられるレーザーユニットホルダーとの支軸部分は可能な限り摩擦抵抗を少なくする必要がある。支軸部分の摩擦抵抗が大きくなるにしたがってレーザーユニットホルダーの静止姿勢がばらつき、上記輝線の位置精度が劣化するからである。
【０００５】
上記理由によりレーザー墨出し器は、精密な構造により正確性を維持している。もしレーザー墨出し器が転倒して衝撃を受けたとすると、支持体とレーザーユニットホルダーとの間に介在するジンバル機構の支軸部分に、レーザーユニットホルダーの重みにより衝撃荷重が加わり、精密加工部品である支軸部分に歪みを生じ、あるいは傷が生じる。支軸部分の歪みや傷によって摩擦抵抗が高くなり、レーザー墨出し器として求められる精度を維持できなくなり、衝撃力がある程度以上になると故障する恐れも十分にある。そこで、レーザー墨出し器の転倒などによって受ける衝撃力を緩和して支軸部分の受けるダメージを軽減する緩衝構造が提案されている。
【０００６】
図６は、従来のレーザー墨出し器の転倒による緩衝構造の一例を示している。図６において、符号１はレーザー墨出し器を示しており、円筒形のハウジング２を有し、ハウジング２の上部に弾性体からなるキャップ５が冠着されている。キャップ５はハウジング２より直径が大きく、さらに外周には弾性体からなる複数の突起５aが横縞状に並んで設けられている。この突起５aが、レーザー墨出し器転倒の際、最初に設置面へ接触し衝撃を和らげるというものである（特許文献１参照）。
【０００７】
【特許文献１】特開２００２−７１３５０号公報
【発明の開示】
【発明が解決しようとする課題】
【０００８】
レーザー墨出し器を使用する建築現場では、作業者の出入りが頻繁に行われるため、作業者の過失などによりレーザー墨出し器に接触し転倒させてしまう恐れがある。転倒時の衝撃によって、レーザー墨出し器が故障することを防止する必要がある。特許文献１記載の発明では、ハウジングの外周を囲んで弾性体が嵌められているだけであるから、比較的大きい質量のレーザー墨出し器の場合、転倒時の衝撃力を十分に吸収することができない。しかもキャップ５は内部に空間のない無垢の素材であることから、衝撃を吸収することが不十分であり、レーザー墨出し器転倒時の衝撃による支軸部分の受けるダメージを十分に軽減することができない。
【０００９】
本発明の目的は、質量の大きいレーザー墨出し器であっても、転倒時の衝撃を和らげ、重要部品の受けるダメージを軽減して故障を防止することができるレーザー墨出し器の緩衝構造およびこれを備えたレーザー墨出し器を提供することにある。
【課題を解決するための手段】
【００１０】
本発明は、ベースと、ベースに支持されている吊り下げ手段と、吊り下げ手段によって揺動自在に吊り下げられているレーザーユニットホルダーと、レーザーユニットホルダーに取り付けられていてレーザーライン光を投射する光源ユニットと、レーザー墨出し器本体へ着脱可能な緩衝部材を具備するレーザー墨出し器の緩衝構造であって、上記緩衝部材は、弾性力を有する素材からなり、レーザー墨出し器本体に装着するための内径部と、この内径部から半径方向外側に突出した複数の突出部を有し、上記突出部と上記内径部との間に空間が存在していることを最も主要な特徴とする。
【発明の効果】
【００１１】
レーザー墨出し器の本体に緩衝部材が装着されることにより、レーザー墨出し器の本体が転倒した際に、緩衝部材が設置面へ真先に接触する形状になっている。この緩衝部材は内径部がレーザー墨出し器本体に装着され、この内径部から空間をおいて複数の突出部が半径方向外方に突出しているため、上記突出部が弾性変形することによって転倒時の衝撃を和らげ、衝撃荷重から本体を保護することで故障を防止する。
さらに、緩衝部材はこれをレーザー墨出し器本体に装着した状態で、レーザー光の投射を遮断することがない形状になっており、緩衝部材を装着したままレーザー光を投射することができる。
【発明を実施するための最良の形態】
【００１２】
以下、本発明にかかるレーザー墨出し器の緩衝構造およびこれを備えたレーザー墨出し器の実施例について図面を参照しながら説明する。
図１において、符号１は円柱形状のレーザー墨出し器本体を示している。レーザー墨出し器本体１の上部外周４箇所に周方向に等間隔で、縦長長方形状をした鉛直方向レーザー光投射用の投射窓２を備えている。投射窓２それぞれの下方に、横長長方形状をした水平方向レーザー光投射用の投射窓３を備えている。投射窓３の下方に、本体１外周方向に緩衝部材が嵌る周溝４が形成されている。また本体１の下端部外周３箇所に等間隔で脚５が取り付けられて三脚を構成している。
【００１３】
図２は上記周溝４に嵌める緩衝部材の例を示したものである。図２において、符号１１は緩衝部材を示している。緩衝部材１１は環状の線材からなり、半径方向に向かい、水平方向に波打った形に形成されている。緩衝部材１１の外周８箇所に外方へ向かう突出部１２が、周方向で等間隔に形成されている。突出部１２は、緩衝部材１１をレーザー墨出し器本体に装着させた態様において、レーザー墨出し器本体転倒時に設置面へ真先に接触するように突出寸法が設定されている。符号１３は緩衝部材の内径部を示している。内径部１３は、緩衝部材１１をレーザー墨出し器本体に装着するための部分で、レーザー墨出し器本体１の上記周溝４に嵌まることによって装着される。図２に示す緩衝部材１１の例は、内径部１３と突出部１２が同心の円弧状になっていて、内径部１３と突出部１２は半径方向の連結部によって連結されている。内径部１３の直径はレーザー墨出し器本体１の周溝４の直径よりも小さく、緩衝部材１１の弾性を利用して上記周溝４に嵌められている。緩衝部材１１は弾性を有する線材からなり、かつ、突出部１２と内径部１３との間に空間１４が介在していることにより、外力が加わったとき柔軟に変形することができる。したがって、レーザー墨出し器本体が転倒ときにかかる衝撃荷重を、突出部１２のしなりを利用することで緩衝する効果を得ることができる。
【００１４】
この実施例では、緩衝部材１の材質をステンレス製の金属ワイヤーとした。これはある程度の強度を保持し、撓みやしなりのある弾力性を有しているためである。また、この弾力性があるために、本発明の特徴の一つである緩衝部材１が着脱可能な構成を実現することができる。
また、図２に示す緩衝部材の例では、突出部１２と内径部１３とその間の連結部との境界が角張った形になっているが、これらは円弧が滑らかに連続した形になっていてもよい。
【００１５】
図３は、緩衝部材をレーザー墨出し器本体に装着した例を示す。図３において、緩衝部材１１の内径部１３がレーザー墨出し器本体の周溝４に装着され、各突出部１２が鍔状に半径方向外側に向かって張り出している。また緩衝部材１１を装着したまま、レーザー光を投射することが可能であり、上記緩衝部材の内径部１３、突出部１２およびこれらの連結部が、投射窓２から投射される鉛直方向のレーザー光を遮断しない形状になっている。また、緩衝部材１１は、投射窓３から投射される水平方向のレーザー光を遮断しない位置に装着される。
【００１６】
上記実施例では、緩衝部材の材質がステンレス製金属ワイヤーで構成された例になっている。しかし、ある程度の強度と弾力性を有しているものであれば、エラストマー樹脂成形品でもよい。図４、図５は、エラストマー樹脂成形品でできた緩衝部材の例を示す。図４、図５において、符号２１は緩衝部材を示している。緩衝部材２１は環状の内径部２３を有しており、内径部２３の外周面に、緩衝するための突出部２２が８つ周方向に等間隔で設けられている。図５は、エラストマー樹脂成形品からなる緩衝部材の一部を拡大して示す斜視図である。図５において、エラストマー樹脂成形品からなる緩衝部材２１は、レーザー墨出し器の転倒時に加わる衝撃力に耐える強度が必要であるため、緩衝部材２１にある程度以上の幅Ｗ（中心軸線方向の寸法）をもたせる必要がある。そのため、上記緩衝部材２１の内径部２３をレーザー墨出し器本体の周溝に嵌めるには、この周溝も幅Ｗにする必要がある。しかし、この実施例では、緩衝部材２１の内径部２３の内周面に周方向の突堤３２を設け、この突堤３２をレーザー墨出し器本体の周溝に嵌めるようになっている。突堤３２は内径部２３の内周面全周に形成してもよいし、内周方向の一部に形成してもよい。
【００１７】
緩衝部材２１の内径部２３が完結した環状であるとすれば、この内径部２３をレーザー墨出し器本体の周溝に嵌めることはできない。そこで、上記内径部２３を幅方向に切断し、この切断部において、緩衝部材２１の内径部２３を弾性力に抗して拡大することができるようにし、拡大した状態でレーザー墨出し器本体に装着できるようにする。上記内径部２３の内面に形成されている上記突堤３２がレーザー墨出し器本体の周溝に対向すると、緩衝部材２１はその弾力によって径を縮小し、突堤３２が上記周溝に嵌って緩衝部材２１がレーザー墨出し器本体に装着される。上記各突出部２２は窓枠状に形成され、各突出部２２と内径部２３の外周面との間には空間が存在している。そのため、各突出部２２は、外力が加わることによって変形し、外力がなくなればもとの形に戻るようになっている。
【００１８】
本願発明に係るレーザー墨出し器に装着する緩衝部材は、ステンレス製の金属ワイヤーを環状に結合し、これを図２に示すように半径方向に波打ち状に形成したものであってもよいし、図５に示すようなエラストマー樹脂形成品からなる緩衝部材の形状でもよい。あるいは、特許請求の範囲に記載した技術思想を逸脱しない範囲で自由に設計変更して差し支えない。
いずれの例にせよ、レーザー墨出し器に装着するための内径部を有しており、その外周に半径方向外方に向かう複数の突出部が形成されている。上記内径部と突出部の間には空間が存在しているため、突出部は外力が加わることによって柔軟に変形ないしは撓むことができる。したがって、上記緩衝部材をレーザー墨出し器に装着した状態でレーザー墨出し器が転倒したとき、レーザー墨出し器本体のどの部分よりも先に緩衝部材の突出部が床面に当接し、この突出部が変形することによって緩衝効果が十分に発揮され、レーザー墨出し器の重要部品であるジンバル機構の支軸を保護することができる。
【図面の簡単な説明】
【００１９】
【図１】本発明にかかる緩衝構造を適用可能なレーザー墨出し器の例を示す斜視図である。
【図２】本発明に適用可能な緩衝部材の一例を示す斜視図である。
【図３】本発明にかかるレーザー墨出し器の実施例を示す斜視図である。
【図４】本発明に適用可能な緩衝部材の別の例を示す斜視図である。
【図５】上記緩衝部材の一部を拡大して示す斜視図である。
【図６】従来のレーザー墨出し器の例を示す正面図である。
【符号の説明】
【００２０】
１    レーザー墨出し器
４    周溝
５    三脚
６    緩衝部材
１１    緩衝部材
１２    突出部
１３    内径部
１４    空間
２１    緩衝部材
２２    突出部
２３    内径部
３２    緩衝部材の突堤
【図１】
2009008480.tif 000003
【図２】
2009008480.tif 000004
【図３】
2009008480.tif 000005
【図４】
2009008480.tif 000006
【図５】
2009008480.tif 000007
【図６】
2009008480.tif 000008